(57)【要約】【課題】既設の波形屋根材の上に、新たな屋根材を張り付けるための母屋材を容易且つ迅速に取り付けることのできる屋根補修用金具を提供する。【解決手段】既設の波形屋根材５の上に、新たな屋根材１０を張り付けるための母屋材９を支持する屋根補修用金具１であって、既設の波形屋根材５から上方へ突出している屋根材固定ボルト６を挿通するボルト挿通孔２ｄが形成されて、そのボルト挿通孔２ｄ近傍に被押圧部２ｃが設けられた母屋材支持面２ａと、その母屋材支持面２ａの両端から下方へ折り曲げられて既設の波形屋根材の山部５ｂを跨ぐ一対の支持脚部２ｂ，２ｂからなる支持具２と、屋根材固定ボルト６を挿通する挿通孔２ｄが形成されて、支持具２の被押圧部２ｃに取付けらるボルト引張部材３と、ボルト引張部材３に取付けられて支持具２の被押圧部２ｃを側方から押圧する押圧具４とからなる構成とする。【選択図】図１
2008031687.tif 000002
【特許請求の範囲】
【請求項１】
既設の波形屋根材の上に、新たな屋根材を張り付けるための母屋材を支持する屋根補修用金具であって、
既設の波形屋根材から上方へ突出している屋根材固定ボルトを挿通するボルト挿通孔が形成されて、そのボルト挿通孔近傍に被押圧部が設けられた母屋材支持面と、その母屋材支持面の両端から下方へ折り曲げられて既設の波形屋根材の山部を跨ぐ一対の支持脚部からなる支持具と、
屋根材固定ボルトを挿通する挿通孔が形成されて、支持具の被押圧部に取付けらるボルト引張部材と、
ボルト引張部材に取付けられて支持具の被押圧部を側方から押圧する押圧具とから構成されていることを特徴とする屋根補修用金具。
【請求項２】
支持具の被押圧部が、母屋材支持面から斜め上方へ突出するように設けられていることを特徴とする請求項１に記載の屋根補修用金具。
【請求項３】
支持具の母屋材支持面に切欠部が形成され、その切欠部の端縁近傍に被押圧部が設けられていることを特徴とする請求項１又は請求項２に記載の屋根補修用金具。
【請求項４】
支持具の被押圧部を押圧する押圧具がネジであって、ボルト引張部材にそのネジを螺合するネジ孔が形成されていることを特徴とする請求項１ないし請求項３のいずれかに記載の屋根補修用金具。
【発明の詳細な説明】
【技術分野】
【０００１】
本発明は、老朽化が進んだ工場などの波形屋根材の上に、新たな屋根材を張り付けるための屋根補修用金具に関するものである。
【背景技術】
【０００２】
戦後、工場などの建物の屋根材として、安価で耐火性、耐水性、耐久性に優れた、石綿にセメントを混ぜ込んだスレートなどが好適に使用されてきたが、それらの老朽化に伴い雨漏りなどの補修を行う必要が生じてきた。既存のスレートを張り替えての補修は、工場の業務を停止するなど大規模な措置を講ずる必要があるため、通常は、既存のスレートの上に新たに波板又は折版などの屋根材を張り付けるという補修が一般的である。
【０００３】
周知のように、スレートには人体に悪影響を及ぼすアスベストが含有されており、新たな屋根材の基礎を設けるために、ドリル等で既存のスレートを穿孔するという補修は、粉塵が工場内に落下してしまう恐れがあり好ましくない。そのため、新たな屋根材を張り付けるのに、例えば、既存のスレート板の外表面に配設される複数の支持金具と、新たな屋根材を支持するための支持面を有する外装下地材とで構成され、上記支持金具は、既存のスレート板の山部を跨いでその両側の谷部に配置される一対の脚部と、既存のスレート板の外表面から突出している既存のボルトの先端部に螺合された締付ナットとナット座金との隙間に挿入されて係止される挿入係止部と、外装下地材を支持するための外装下地材支持面とを備えた外装材葺替用治具などを用いることが多い（特許文献１）。
【０００４】
しかしながら、上記の外装材葺替用治具は、スレート板から突出している既存のボルトに螺合されている締付ナットを一旦緩め、締付ナットとナット座金との間に生じた隙間に支持金具の挿入係止部を挿入して、再びナットを締め付けて支持金具を固定するものなので、経年劣化で錆び付いたボルトから締付ナットを緩めたり締め付けたりの作業は簡単ではなく、時にはボルトのネジ山を潰したりボルト自体を折ってしまうなど、施工に多大な時間と労力を要するという問題があった。
【特許文献１】特開２００２−１４６９７３号公報
【発明の開示】
【発明が解決しようとする課題】
【０００５】
本発明は上記の事情に鑑みてなされたもので、既設の波形屋根材から上方へ突出している屋根材固定ボルトに締め付けられているナットに一切手を触れることなく、新たな屋根材を張り付けるための母屋材を容易且つ迅速に取り付けることのできる屋根補修用金具を提供することを解決課題としている。
【課題を解決するための手段】
【０００６】
上記課題を解決するため、本発明に係る屋根補修用金具は、既設の波形屋根材の上に、新たな屋根材を張り付けるための母屋材を支持する屋根補修用金具であって、既設の波形屋根材から上方へ突出している屋根材固定ボルトを挿通するボルト挿通孔が形成されて、そのボルト挿通孔近傍に被押圧部が設けられた母屋材支持面と、その母屋材支持面の両端から下方へ折り曲げられて既設の波形屋根材の山部を跨ぐ一対の支持脚部からなる支持具と、屋根材固定ボルトを挿通する挿通孔が形成されて、支持具の被押圧部に取付けらるボルト引張部材と、ボルト引張部材に取付けられて支持具の被押圧部を側方から押圧する押圧具とから構成されていることを特徴とするものである。
【０００７】
本発明の屋根補修用金具においては、支持具の被押圧部が、母屋材支持面から斜め上方へ突出するように設けられていることが好ましい。また、支持具の母屋材支持面に切欠部が形成され、その切欠部の端縁近傍に被押圧部が設けられていることが好ましく、支持具の被押圧部を押圧する押圧具がネジであって、ボルト引張部材にそのネジを螺合するネジ孔が形成されている屋根補修用金具がより好ましい。
【発明の効果】
【０００８】
本発明の屋根補修用金具は、支持具の被押圧部にボルト引張部材を取付けてから、既設の波形屋根材から上方へ突出している屋根材固定ボルトを、支持具の母屋材支持面に形成されたボルト挿通孔と、ボルト引張部材に形成された挿通孔に挿通して、押圧具で支持具の被押圧部を側方から押圧すると、支持具は押圧方向へ移動し始めると同時に、ボルト引張部材は押圧方向と逆方向へと引っ張られるので、該屋根材固定ボルトは、支持具のボルト挿通孔内周面とボルト引張部材の挿通孔内周面とによって強固に挟持されることになる。従って、従来の外装材葺替用治具のように、スレート板から突出している既存のボルトに螺合されている締付ナットを一旦緩めたり、再び締め付けたりするという面倒な作業を一切することなく、簡単且つ迅速に屋根補修用金具を既設の波形屋根材に取り付けることができる。
【０００９】
また、支持具の被押圧部が、母屋材支持面から斜め上方へ突出するように設けられている屋根補修用金具は、立ち姿勢のまま楽に作業することができるので、支持具の母屋材支持面と既設の波形屋根材の山部との間に隙間が殆どない場合でも、既設の波形屋根材に屋根補修用金具を簡単に取付けることができる。
【００１０】
更に、支持具の母屋材支持面に切欠部が形成され、その切欠部の端縁近傍に被押圧部が設けられている屋根補修用金具は、支持具の被押圧部にボルト引張部材を取付けても側方に出っ張らず、また、切欠部を形成すると必然的にボルト挿通孔は母屋材支持面の中心部付近に形成されることになるので、既設の波形屋根材に屋根補修用金具を取付けたときの安定性に優れる。
【００１１】
特に、支持具の被押圧部を押圧する押圧具がネジであって、ボルト引張部材にそのネジを螺合するネジ孔が形成されている屋根補修用金具は、押圧具を通常のネジとすることで、電動工具等を使用することができるので施工性が更に向上する。
【発明を実施するための最良の形態】
【００１２】
以下、図面を参照して本発明の具体的な実施形態を詳述する。
【００１３】
図１は本発明の一実施形態に係る屋根補修用金具の分解斜視図、図２は同補修用金具の構成部材である支持具を示すものであって、（ａ）は同支持具の平面図、（ｂ）は同支持具の正面図、（ｃ）は同支持具の右側面図、図３は同補修用金具の構成部材であるボルト引張部材を示すものであって、（ａ）は同引張部材の平面図、（ｂ）は同支持具の正面図、（ｃ）は同支持具の右側面図、図４は同補修用金具の被押圧部にボルト引張部材を取付ける前の状態を示す平面図、図５は同補修用金具の被押圧部にボルト引張部材を取付けると共に屋根材固定ボルトをそれぞれの挿通孔に挿通した状態を示す平面図、図６は図５の右側面図、図７は同補修用金具の押圧具で被押圧部を押圧した状態を示す平面図、図８は図７の右側面図、図９は同補修用金具を既設の波形屋根材に取付けて新たな屋根材を張り付けた状態を示す正面図である。
【００１４】
本発明の屋根補修用金具１は、図１、図９に示すように、既設の波形屋根材５の上に新たな屋根材１０を張り付けるための母屋材９を支持するためのものであって、母屋材９を支持する支持具２と、支持具２の被押圧部２ｃに取付けられるボルト引張部材３と、ボルト引張部材３に取付けられて支持具２の被押圧部２ｃを側方から押圧する押圧具４とで構成されている。
尚、図９に示す既設の波形屋根材５は、屋根材固定ボルト６に雨漏りを防止する防水パッキン８を介して六角のナット７によって水密的に取付けられおり、安価で耐火性、耐水性、耐久性に優れるスレートが好適に使用されている。また、新たな屋根材１０としては、安価で耐久性、耐水性に優れる軽量な合成樹脂製の波板などを用いることが好ましい。
【００１５】
支持具２は、図２に示すように、母屋材９を支持する母屋材支持面２ａと、既設の波形屋根材５の山部５ａを跨いでその両側の谷部５ｂ，５ｂに配置される一対の支持脚部２ｂ，２ｂと、後述するボルト引張部材３が取付けられて押圧具４によって押圧される被押圧部２ｃからなり、母屋材９及び新たな屋根材１０の重みに耐え得るように金属で形成されている。
尚、本実施形態の支持具２は金属で形成されたものであるが、母屋材支持面２ａと支持脚部２ｂの厚みを増して、合成樹脂で成形することも可能である。
【００１６】
図２（a）に示すように、母屋材支持面２ａの後側は凹型に切欠かれて切欠部２ｅが形成されており、図２（ｃ）に示すように、その切欠部２ｅの端縁近傍からは被押圧部２ｃが斜め上方へ突出するように設けられている。この切欠部２ｅは、後述するボルト引張部材３を被押圧部２ｃに取付けたときに、ボルト引張部材３がこの切欠部２ｅに納まって、支持具２から出っ張らないようにする役割も果たすので、被押圧部２ｃにボルト引張部材３を取付けても出っ張らないような寸法に切欠くことが好ましい。
【００１７】
また、上記被押圧部２ｃは、図２（ｃ）に示すように、金属製の平板を略４５°折り曲げてノ字型とし、更にその先端部分を略９０°折り曲げることにより、後述する押圧具４によって押圧される被押圧面２０ｃを形成したもので、上記母屋材支持面２ａの切欠部２ｅ近傍に固着一体化されている。
【００１８】
そして、図２（ｂ），（ｃ）に示すように、上記被押圧部２ｃと母屋材支持面２ａを貫通させるように穿孔することにより、既設の波形屋根材５から上方へ突出している屋根材固定ボルト６を挿通するボルト挿通孔２ｄが形成されている。このボルト挿通孔２ｄは、図６等に示すように、屋根材固定ボルト５を挿通し易いように、その内周面の内径が屋根材固定ボルト５の外径よりも大きく形成されている。
【００１９】
また、既設の波形屋根材５の山部５ａを跨いでその両側の谷部５ｂ，５ｂに配置される一対の支持脚部２ｂ，２ｂは、図２（ｂ）に示すように、上記母屋材支持面２ａの左右両端を下方へ略９０°折り曲げることによって形成されたもので、その下端は既設の波形屋根材５の谷部５ｂ，５ｂに確実に載置されるよう外側へ略９０°折り曲げられており、更にその先端が略１５°上方へと折り曲げられている。
【００２０】
一方、図３に示すボルト引張部材３は、、図６、図８に示すように、前述した支持具２の被押圧部２ｃを覆うようにして被押圧部２ｃに取付けられる側面視が略ク字型のもので、その上面と下面には屋根材固定ボルト６を挿通する挿通孔３ａ，３ｂがそれぞれ形成されており、斜面には押圧具４を螺合するネジ孔３ｃが形成されている。このボルト引張部材３の挿通孔３ａ，３ｂは、上記母屋材支持面２ａのボルト挿通孔２ｄと同径で、図６に示すように、支持具２の被押圧部２ｃに取付けたとき、被押圧部２ｃの被押圧面２０ｃとの間に隙間が生じるように形成されている。
【００２１】
そして、上記ボルト引張部材３のネジ孔３ｃに螺合されて支持具２の被押圧部２ｃを側方から押圧する押圧具４は一般的な＋ネジで、このように一般的なネジを使用することで、電動工具で簡単且つ迅速に締め付けることができ、施工性が非常に良好となる。
【００２２】
上記支持具２と上記ボルト引張部材３と上記押圧具４とで構成されている屋根補修用金具１の寸法は特に限定されないが、建物の屋根材として多く用いられてきた既設の波形屋根材５のサイズに合わせて、前後の長さが１００ｍｍ程度、左右の幅が１５０ｍｍ程度、高さが６０ｍｍ程度、支持脚部２ｂの幅が１８〜２０ｍｍ程度のものが好適に用いられる。
【００２３】
以上のような構成の屋根補修用金具１は、次のようにして既設の波形屋根材５に取付けられる。
【００２４】
即ち、図４に示すように、まず、ボルト引張部材３を支持具２の被押圧部２ｃに被せるようにして取り付ける。そして、図５に示すように、既設の波形屋根材５の屋根材固定ボルト６を支持具２の母屋材支持面２ａに形成されたボルト挿通孔２ｄと、ボルト引張部材３の挿通孔３ａ，３ｂに挿通すると共に、図９に示すように、支持具２の支持脚部２ｂ，２ｂの下端面を既設の波形屋根材５の谷部５ｂ，５ｂに載置する。
【００２５】
上記のように既設の波形屋根材５に屋根補修用金具１を載置した後、電動工具で押圧具４（ネジ）をボルト引張部材３のネジ孔３ｃに締め込んでいく。押圧具４を締め込んでいくと、その先端部分が被押圧部２ｃの被押圧面２０ｃに当接し、更にネジ４を締め込んでいくと、図７、図８に示すように、押圧具４が被押圧部２ｃを矢印Ｐ１の方向へと押圧し始める。このように押圧具４で被押圧部２ｃを矢印Ｐ１の方向へ押圧すると、支持具２には矢印Ｐ１方向の力が作用すると共に、ボルト引張部材３には矢印Ｐ１（押圧方向）とは逆方向（矢印Ｐ２方向）の力が作用することになるので、支持具２は矢印Ｐ１の方向へ移動し始めると同時に、ボルト引張部材３は矢印Ｐ２の方向へと移動を始める。
【００２６】
このように、支持具２、ボルト引張部材３がそれぞれ矢印Ｐ１，Ｐ２方向へ移動すると、母屋材支持面２ａのボルト挿通孔２ｄの内周面と、ボルト引張部材３の挿通孔３ａ，３ｂ内周面が屋根材固定ボルト６に当接して、屋根材固定ボルト６は、ボルト挿通孔２ｄの内周面と挿通孔３ａ，３ｂの内周面の３点で強固に挟持されるので、支持具２は既設の波形屋根材５に確実に取付けられる。このようにして、既設の波形屋根材５に屋根補修用金具１を取付けが完了した後、母屋材支持面２ａに母屋材９を支持させて、新たな屋根材１０を張り付けると屋根の補修作業が完了する。
【００２７】
以上の説明から明らかなように、本発明の屋根補修用金具１は、ボルト引張部材３を支持具２の被押圧部２ｃに取付けてから、既設の波形屋根材５から上方へ突出している屋根材固定ボルト６を、支持具２の母屋材支持面２ａに形成されたボルト挿通孔２ｄと、ボルト引張部材３の挿通孔３ａ，３ｂに挿通した後、押圧具５で支持具２の被押圧部２ｃを側方から押圧すると、支持具２は押圧方向へ移動する反面、ボルト引張部材３は押圧方向と逆方向へと移動するので、該屋根材固定ボルト６は、支持具２のボルト挿通孔２ｄ内周面とボルト引張部材３の挿通孔３ａ，３ｂ内周面とで強固に挟持される。しかも、支持具２の被押圧部２ｃが、母屋材支持面２から斜め上方へ略４５°突出するように設けられているので、支持具２の母屋材支持面２ａと既設の波形屋根材５の山部５ａとの隙間が殆どない場合でも、立ち姿勢のまま作業することができ、施工性が非常に良好である。また、ボルト引張部材３を被押圧部２ｃに取付けても、切欠部２ｅに納まるので出っ張らず、ボルト挿通孔２ｄは母屋材支持面２ａの中心部近くに形成されているので、屋根補修用金具１を既設の波形屋根材５に取付けたときの安定性に優れる、といった顕著な効果を奏する。
【図面の簡単な説明】
【００２８】
【図１】本発明の一実施形態に係る屋根補修用金具の分解斜視図である。
【図２】同補修用金具の構成部材である支持具を示すものであって、（ａ）は同支持具の平面図、（ｂ）は同支持具の正面図、（ｃ）は同支持具の右側面図である。
【図３】同補修用金具の構成部材であるボルト引張部材を示すものであって、（ａ）は同引張部材の平面図、（ｂ）は同支持具の正面図、（ｃ）は同支持具の右側面図である。
【図４】同補修用金具の被押圧部にボルト引張部材を取付ける前の状態を示す平面図である。
【図５】同補修用金具の被押圧部にボルト引張部材を取付けると共に屋根材固定ボルトをそれぞれの挿通孔に挿通した状態を示す平面図である。
【図６】図５の右側面図である。
【図７】同補修用金具の押圧具で被押圧部を押圧した状態を示す平面図である。
【図８】図７の右側面図である。
【図９】同補修用金具を既設の波形屋根材に取付けて新たな屋根材を張り付けた状態を示す正面図である。
【符号の説明】
【００２９】
１    屋根補修用金具
２    支持具
２ａ  母屋材支持面
２ｂ  支持脚部
２ｃ  被押圧部
２ｄ  ボルト挿通孔
２ｅ  切欠部
３    ボルト引張部材
３ａ，３ｂ  挿通孔
３ｃ  ネジ孔
４    押圧具（ネジ）
５    既設の波形屋根材
６    屋根材固定ボルト
９    母屋材
１０  新たな屋根材
【図１】
2008031687.tif 000003
【図２】
2008031687.tif 000004
【図３】
2008031687.tif 000005
【図４】
2008031687.tif 000006
【図５】
2008031687.tif 000007
【図６】
2008031687.tif 000008
【図７】
2008031687.tif 000009
【図８】
2008031687.tif 000010
【図９】
2008031687.tif 000011